(57)【要約】【課題】  集積部における紙葉類の集積状態に基づいて、結束材の交換メッセージを表示すべきか否かを制御することにより、結束材の交換時に、操作員が集積部から紙葉類を持ち帰る必要のないようにする。【解決手段】  集積部に集積された１００枚の集積紙葉類を搬送する搬送機構と、この搬送機構によって搬送されてくる集積紙幣を結束帯によって結束する結束部と、この結束部に結束帯を供給する供給リールと、この供給リールから供給される結束帯の残量を検出する帯残量検出機構５１と、結束帯の交換メッセージを表示する表示部５と、帯残量検出機構５１により結束帯の残量が無いことが検出されのに基づいて集積部２６に紙幣が所定枚数集積されたか否かを識別する識別部１２と、この識別部１２により所定枚数集積されたと識別されるのに基づいて表示部５が結束帯の交換メーセージを表示するように制御する制御部５６とを具備する。【選択図】      図３
2005346157.tif 000002
【特許請求の範囲】
【請求項１】
紙葉類を取込む取込手段と、
この取込手段により取込まれた紙葉類を集積する集積部と、
この集積部に集積された所定枚数の集積紙葉類を搬送する搬送手段と、
この搬送手段によって搬送されてくる集積紙幣を結束材によって結束する結束手段と、
この結束手段に前記結束材を供給する供給手段と、
この供給手段から供給される結束材の残量を検出する検出手段と、
前記結束材の交換メッセージを表示する表示部と、
前記検出手段により結束材の残量が無いことが検出されるのに基づいて前記集積部に紙葉類が所定枚数集積されたか否かを判別する判別手段と、
この判別手段により所定枚数集積されたと判別されるのに基づいて前記表示部が結束材の交換メーセージを表示するように制御する制御手段と
を具備することを特徴とする紙葉類処理装置。
【請求項２】
前記判別手段により紙葉類が所定枚数集積されないと判別されるのに基づいて、前記集積部に紙葉類が所定枚数集積されるまで集積を継続することを特徴とする請求項１記載の紙葉類処理装置。
【請求項３】
前記取込手段における紙葉類の有無を判別する第１の判別手段と、
前記集積部における紙葉類の有無を判別する第２の判別手段とを具備し、
前記第１の判別手段により紙葉類が無いことが判別され、前記検出手段により結束材の残量が無いことが検出され、前記第２の判別手段により紙葉類が無いことが判別されるのに基づいて前記表示部が結束材の交換メーセージを表示するように制御することを特徴とする請求項１記載の紙葉処理装置。
【請求項４】
前記第２の判別手段により紙葉類があると判別されるのに基づいて前記表示部が結束材の交換メーセージを表示しないように制御することを特徴とする請求項３記載の紙葉類処理装置。
【請求項５】
前記紙葉類は紙幣で、所定枚数は１００枚であることを特徴とする請求項１乃至４のいずれか一項に記載の紙葉類処理装置。
【発明の詳細な説明】
【技術分野】
【０００１】
本発明は、例えば、紙幣をその金種などに応じて区分排出し、或いは、紙幣を所定枚数ずつ結束する紙葉類処理装置に関する。
【背景技術】
【０００２】
この種の紙葉類処理装置には、投入部としての取込部に紙幣を複数枚積層状態で投入させてセットし、このセットされた紙幣を一枚ずつ取込んで搬送し、その金種、真偽、表裏の向きなどを鑑査部で判別し、この判別結果に基づいて紙幣を複数の排出部に区分排出し、或いは、鑑査した紙幣を集積部に所定枚数集積し、この集積した集積紙幣を結束部に搬送して結束材としての結束帯によって結束処理するものがある（例えば、特許文献１参照。）。
【０００３】
ところで、上記した結束帯は供給部から供給され、この供給部から供給される結束帯の残量が無くなると、表示部に結束帯の交換メッセージが表示されるようになっている。操作員はこの交換メッセージを見ることにより、装置本体の前扉を開放して結束帯の交換を行う。
【特許文献１】特開平８−２３５４０６号公報
【発明の開示】
【発明が解決しようとする課題】
【０００４】
しかしながら、従来においては、集積部における紙幣の集積状態に関係なく、結束帯の交換メッセージを表示していたため、操作員が結束帯の交換のために前扉を開放すると、集積部に紙幣が存在している場合には、紙幣に触れることが可能となり紙幣の計数を保証することができなくなる。
【０００５】
従って、従来においては、操作員が集積部から紙幣を取出して持ち帰る必要があり、この持ち帰り紙幣には「確定済み紙幣」と「未確定紙幣」とが混在している。「確定済み紙幣」は分離して保管され、「未確定紙幣」は再計数されるようになっている。
【０００６】
上記の「確定済み紙幣」の分離は難しく、分離ミスによる現金トラブルが発生し易いとともに、「未確定紙幣」は再計数する操作が必要になるため、手間取るという問題があった。
【０００７】
本発明は上記事情に着目してなされたもので、その目的とするところは、集積部における紙葉類の集積状態に基づいて、結束材の交換メッセージを表示すべきか否かを制御することにより、結束材の交換時に操作員が集積部から紙葉類を持ち帰る必要のないようにした紙葉類処理装置を提供することを目的とする。
【課題を解決するための手段】
【０００８】
上記課題を解決するため、請求項１記載の発明は、紙葉類を取込む取込手段と、この取込手段により取込まれた紙葉類を集積する集積部と、この集積部に集積された所定枚数の集積紙葉類を搬送する搬送手段と、この搬送手段によって搬送されてくる集積紙幣を結束材によって結束する結束手段と、この結束手段に前記結束材を供給する供給手段と、この供給手段から供給される結束材の残量を検出する検出手段と、前記結束材の交換メッセージを表示する表示部と、前記検出手段により結束材の残量が無いことが検出されのに基づいて前記集積部に紙葉類が所定枚数集積されたか否かを判別する判別手段と、この判別手段により所定枚数集積されたと判別されるのに基づいて前記表示部が結束材の交換メーセージを表示するように制御する制御手段とを具備することを特徴とする。
【発明の効果】
【０００９】
本発明によれば、結束材の交換時に、操作員が集積部から紙葉類を持ち帰る必要がないため、確定済み紙葉類の分離や、未確定紙葉類の再計数操作が不要となり、トラブルの発生を防止できるとともに、手間取ることもない。
【発明を実施するための最良の形態】
【００１０】
以下、本発明を図面に示す実施の形態を参照して詳細に説明する。  
図１は本発明の一実施の形態である紙葉類処理装置としての紙幣整理機の外観を示すものである。
【００１１】
図１中１は装置本体で、この装置本体１の利用者が対面するフロント側の一側部側には紙葉類としての紙幣Ｐを各金種混合状態で投入させて載置する取込部２が設けられている。この取込部２に載置された紙幣Ｐはその下部側のものから後述する取込ローラによって取込まれるようになっている。
【００１２】
装置本体１の上面部には、フロント側に位置して横方向に並列に第１乃至第３の排出部３ａ〜３ｃが配設されている。これら第１乃至第３の排出部３ａ〜３ｃには、金種別に紙幣が区分されて排出される。第１の排出部３ａには、例えば、千円紙幣、第２の排出部３ｂには一万円紙幣、第３の排出部３ｃにはリジェクト紙幣が排出される。
【００１３】
装置本体１の上面部には、排出部３ａ〜３ｃの後方に位置して操作部４及び表示部５が設けられている。操作部４は、例えば、計数分類処理モード、或いは、結束処理モードを選択的に設定できるようになっている。表示部５は、例えば、結束帯の交換メセージを表示するようになっている。
【００１４】
装置本体１の前面部には、前扉１ａが開閉自在に設けられ、この前扉１ａを開くことにより、装置本体１内部を全面開放できるようになっている。
【００１５】
図２は、紙幣整理機の内部構成を概略的に示すものである。
【００１６】
取込部２の下部側には紙幣Ｐを取込む取込手段としての取込ローラ７ａ，７ｂが配設されている。取込部２には投入された紙幣の有無を光学的に判別する第１の判別手段としての第１の判別センサ５９が設けられている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する判別手段としての識別部１２が設けられている。また、識別部１２は、結束処理モードが設定された場合には、結束すべき紙幣が集積部（後述する）に集積される枚数を計数するようになっている。
【００１７】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１８】
一方、上記した第３の搬送経路１５の紙幣搬送方向下流側には表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。集積部２６には紙幣の有無を光学的に判別する第２の判別手段としての第２の判別センサ６０が設けられている。
【００１９】
集積部２６の下方部には、集積紙幣を結束部３０へ搬送する搬送手段としての搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００２０】
結束部３０は、搬送ベルト４４によって搬送されてくる集積紙幣を上下からクランプして受取るクランプ部材（図示しない）と、このクランプ部材間に挾持される紙幣Ｐに結束帯３６を巻付けるテープ巻付け機構３３と、結束帯３６を所定の長さに切断するカッタ３４と、結束帯３６の重合端部を熱接着するヒータ３５等を備えている。テープ巻付け機構３３は一対の巻付けアーム４６を回動自在に備えている。
【００２１】
結束帯３６は供給手段としての供給リール３７から供給ルート３８に沿って供給され、供給ルート３８の中途部には結束帯３６に銀行の支店名、処理の日付け、通番等を印字する印字部４０が設けられている。印字部４０は印字ヘッド４１とこの印字ヘッド４１に対向するプラテンローラ４２を備えている。
【００２２】
供給リール３７の近傍には、結束帯３６の残量を検出する検出手段としての帯残量検出機構５１が設けられている。帯残量検出機構５１は回動自在な検出レバー５２と、この検出レバー５２の回動端部に回転自在に設けられて供給リール３７の結束帯３６の表面に当接する検出ローラ５３とを有している。検出レバー５２は検出ローラ５３が結束帯３６の表面に圧接する方向に回動するようにバネ材５４によって付勢されている。検出レバー５２は、結束帯３６が引き出されてその残量が低下するのに伴ってバネ材５４の付勢力によって回動される。この検出レバー５２の回動量によって結束帯３６の残量が判別されるようになっている。
【００２３】
図３は、上記した表示部５の表示を制御するための制御系を示すブロック図である。
【００２４】
即ち、上記した識別部１２、帯残量検出機構５１、第１及び第２の判別センサ５９，６０は送信回路を介して制御手段としての制御部５６に接続され、制御部５６には制御回路を介して表示部５及び取込ローラ７ａ，７ｂのローラ駆動部５８が接続されている。
【００２５】
制御部５６は残量検出機構５１が供給リール３７における結束帯３６の残量がないことを検出すると、表示部５に結束帯の交換メセージ、例えば、「結束帯の残り少なくなりました。結束帯を交換して下さい。」といったメッセージを表示させる。しかしながら、制御部５６は、識別部１２によって集積部２６に集積されるべき紙幣が１００枚計数されなければ、結束帯の交換メセージを表示させないようになっている。即ち、識別部１２によって集積部２６に集積されるべき紙幣が１００枚計数された場合にのみ、結束帯の交換メセージを表示させるようになっている。
【００２６】
また、取込部２における紙幣が第１の判別センサ５９によって無くなったと判別されるとともに、帯残量検出機構５１によって結束帯がないことが検出された場合であっても、集積部２６に第２の判別センサ６０によって紙幣があると判別された場合には、結束帯の交換メセージを表示部５に表示させないようになっている。即ち、集積部２６に紙幣がない場合にのみ、結束帯の交換メセージを表示部５に表示させるようになっている。
【００２７】
次に、上記した紙幣整理機の処理動作について説明する。
【００２８】
まず、紙幣をその金種別に分類処理する場合について説明する。
【００２９】
この場合には、操作部４によって計数分類処理モードを設定し、装置本体１の取込部２に混合金種の紙幣Ｐを積層状態でセットする。このセット後、操作部４の分類開始キーを押圧操作する。これにより取込ローラ７ａ，７ｂが回転駆動されて紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。識別された紙幣は第２の搬送経路１４を介して第１乃至第３の排出部３ａ〜３ｃに向かって搬送される。識別された紙幣が例えば千円券である場合には、第１の振分ゲート１７の動作により第１の排出ローラ対２０ａに送られ、この第１の排出ローラ対２０ａの回転により、第１の排出部３ａに排出される。識別された紙幣が例えば万円券である場合には、第２の振分ゲート１８の動作により第２の排出ローラ対２０ｂに送られ、この第２の排出ローラ対２０ｂの回転により第２の排出部３ｂに排出される。識別された紙幣が例えば、２枚重なり紙幣、連鎖紙幣、偽紙幣等の識別不能紙幣等の場合には、リジェクト紙幣として第３の排出ローラ対２０ｃに送られ、この第３の排出ローラ対２０ｃの回転により第３の排出部３ｃに排出される。
【００３０】
つぎに、紙幣を結束する場合について図４のフローチャートを参照して説明する。
【００３１】
この場合には、操作部４によって結束処理モードを設定し（ステップＳ１）、装置本体１の取込部２に結束すべき紙幣Ｐを積層状態でセットする（ステップＳ２）。このセット後、操作部４の計数開始キーを押圧操作する（ステップＳ３）。これにより取込ローラ７ａ，７ｂが回転駆動されて紙幣Ｐが取込まれ（ステップＳ４）、供給ローラ８と分離ローラ９の回転により紙幣Ｐが一枚ずつ分離されて供給される。この紙幣Ｐは第１の搬送経路１１を介して識別部１２へ送られて計数される（ステップＳ５）。計数された紙幣は切替ゲート１３を介して第３の搬送経路１５へ送られ、さらに、表裏反転機構２２に送られる。この表裏反転機構２２に送られた紙幣は一方の面に揃えられたのち第４の搬送経路２４を介して集積部２６に送り込まれる。集積部２６に所定枚数（例えば１００枚）の紙幣が集積されると、集積部２６から搬送ベルト４４上に移載される。この移載された集積紙幣は搬送ベルト４４の走行により結束部３０に搬送され図示しない挾持片により挾持される。また、このとき、供給リール３７から結束帯３６が供給され、この結束帯３６の表面には印字部４０により銀行の支店名、処理の日付け、通番等が印字される。この結束帯３６は所定長さ送り出されると、カッタ３４により切断されたのち、一対の巻付アーム４６の回動により、集積紙幣の囲りに巻付けられる。この巻付け後、結束帯３６の両端重合部にヒータ３５が押し付けられて加熱される。これにより結束帯３６が接着されて結束される（ステップＳ６）。この結束された紙幣把は収納部に放出されて収納されることになる。
【００３２】
ところで、上記した結束処理が継続されると、結束帯３６の残量が無くなり、結束帯３６を交換する必要がある。なお、帯残量検出機構５１により結束帯３６の残量が無いことが検出されても、この検出時点では、供給リール３７には集積紙幣を複数個分結束できるだけの量は残された状態になっている。
【００３３】
つぎに、結束帯３６を交換するまでの動作について図５のフローチャートを参照して説明する。
【００３４】
まず、上記したステップＳ６の結束動作後、取込部２に紙幣が有るか否かを判別する（ステップＳ１１）。紙幣があると判別された場合には、結束帯３６が有るか否かが判別される（ステップＳ１２）。結束帯３６がないと判別されると、集積部２６に紙幣を１００枚集積したか否かが判別される（ステップＳ１３）。紙幣が１００枚集積されていると判別された場合には、紙幣の取込動作が停止されるとともに、既に取り込んだ紙幣は排出部３ａ〜３ｃにリジェクトされる（ステップＳ１４）。このリジェクト後、機体内の紙幣を流しきって計数動作を停止する（ステップＳ１５）。この停止後、結束帯が無い旨のメッセージを表示部５に表示する（ステップＳ１６）。操作員はこのメッセージを見て結束帯の交換処理を行う（ステップＳ１７）。
【００３５】
一方、上記したステップＳ１２において結束帯３６が有ると判別された場合、及びステップＳ１３において紙幣が１００枚集積されていないと判別された場合には、ステップＳ４に戻って取込部２から紙幣を再度取込んで集積部２６に紙幣を集積させ、この動作は集積部２６に紙幣が１００枚集積されるまで繰り返される。
【００３６】
また、上記したステップＳ１１で紙幣がないと判断された場合には、計数動作を停止する（ステップＳ１８）。この停止後、結束帯の有無が判別される（ステップＳ１９）。結束帯がないと判別されると、集積部２６における紙幣の有無が判別される（ステップＳ２０）。紙幣がないと判別された場合には、結束帯が無い旨のメッセージが表示される（ステップＳ２１）。操作員はこの表示を見て結束帯の交換処理を行う（ステップＳ１７）。
【００３７】
また、ステップＳ２０において集積部２６に紙幣があると判別された場合には、結束帯が無い旨のメッセージは表示しないで（ステップＳ２２）、ステップＳ２に戻って上記した各ステップを繰り返す。
【００３８】
結束帯を交換する場合には、操作員は装置本体１の前扉１ａを開いてから結束帯の供給リール３７を装置本体１の前面から取り外して結束帯の交換を行う。結束帯を交換したのちは供給リール３７を再度、装置本体１内に取り付けて前扉１ａを閉じて交換動作を終える。
【００３９】
上記したように、この実施の形態によれば、結束帯３６の残留が無くなったことを検出しても、集積部２６に１００枚未満の紙幣がある場合には、結束帯交換のメッセージは表示部５に表示させないで、集積部２６に紙幣が１００枚集積されるのを待って結束帯交換のメッセージを表示部５に表示させる。
【００４０】
また、取込部２に紙幣が無くなった状態で、集積部２６に紙幣がある場合には、結束帯交換のメッセージは表示部５に表示させないで、集積部２６に紙幣がない場合にのみ結束帯交換のメッセージを表示部５に表示させる。
【００４１】
従って、操作員が結束帯の交換メッセージを見て装置本体１の前扉１ａを開放した場合には、集積部２６には紙幣がないため、紙幣に触れることはできない。よって、操作員は紙幣を持ち帰って分離処理や再計数処理等を行う必要がなく、現金トラブルや操作が手間取るといったことがないという利点を有する。
【００４２】
なお、本発明は、上記一実施の形態に限られることなく、その要旨の範囲内で種々変形実施可能なことは勿論である。
【図面の簡単な説明】
【００４３】
【図１】本発明の一実施の形態である紙幣整理機を示す外観斜視図。
【図２】同紙幣整理機の内部構成を示す図。
【図３】同紙幣整理機の表示部及び取込部の駆動制御系を示すブロック図。
【図４】同紙幣整理機の紙幣結束動作を示すフローチャート。
【図５】同紙幣整理機の結束帯を交換するまでの動作を示すフローチャート。
【符号の説明】
【００４４】
Ｐ…紙幣（紙葉類）、２…取込部（取込手段）、５…表示部、１２…識別部（判別手段）、２６…集積部、２８…搬送手段、３０…結束部（結束手段）、３６…結束帯（結束材）、３７…供給リール（供給手段）、５１…帯残量検出機構（残量検出手段）、５６…制御部（制御手段）、５９…第１の判別センサ（第１の判別手段）、６０…第２の判別センサ（第２の判別手段）。
【図１】
2005346157.tif 000003
【図２】
2005346157.tif 000004
【図３】
2005346157.tif 000005
【図４】
2005346157.tif 000006
【図５】
2005346157.tif 000007